(57)【要約】【課題】  紙又はシート状基材の濃淡画像を、評価者の目視による官能評価の結果と相関する定量的評価方法、評価装置及びその評価プログラムを提供する。【解決手段】  コンピュータによる紙又はシート状基材の濃淡画像を定量的に評価する方法であって、前記紙又はシート状基材の濃淡画像を撮像部により撮影し、前記撮影した濃淡画像に対する画素濃度を前記コンピュータに入力し、前記画素濃度から濃度ヒストグラムを作成し、  前記作成された濃度ヒストグラムを図形と認識し、前記図形と認識した濃度ヒストグラムの図形の重心座標を求め、前記求めた重心座標と、あらかじめ記録された一組の評価基準シートによる濃淡画像の濃度ヒストグラム図形の重心座標とを照合し、前記紙又はシート状基材に形成した濃淡画像の定量的評価を行う。【選択図】  図１
2006017591.tif 000002
【特許請求の範囲】
【請求項１】
コンピュータによる紙又はシート状基材の濃淡画像を定量的に評価する方法であって、前記紙又はシート状基材の濃淡画像を撮像部により撮影し、前記撮影した濃淡画像に対する画素濃度を前記コンピュータに入力し、
前記画素濃度から濃度ヒストグラムを作成し、
前記作成された濃度ヒストグラムを図形と認識し、
前記図形と認識した濃度ヒストグラムの図形の重心座標を求め、
前記求めた重心座標と、あらかじめ記録された一組の評価基準シートによる濃淡画像の濃度ヒストグラム図形の重心座標とを照合し、前記紙又はシート状基材に形成した濃淡画像の定量的評価を行うことを特徴とする紙又はシート状基材の濃淡画像の定量的評価方法。
【請求項２】
前記濃度ヒストグラムが、前記濃度ヒストグラムの評価対象濃度範囲を選択した限定された評価対象濃度範囲の濃度ヒストグラムであることを特徴とする請求項１記載の紙又はシート状基材の濃淡画像の定量的評価方法。
【請求項３】
前記濃度ヒストグラム図形の重心座標の算出方法は、
前記濃度ヒストグラムの濃度と度数が０である点を原点算出部で原点とし、
前記濃度ヒストグラム図形を形成する各濃度の度数に１を足した値を求め、これを濃度範囲で繰り返して総和を求めて面積値算出部で面積値とし、各濃度の度数に１を足した値とその濃度値との積を求め、これを前記濃度範囲で繰り返して総和を求め、この総和を前記面積値で除した値をＸ座標算出部で重心のＸ座標とし、
前記濃度範囲の各濃度の度数と該度数に１を足した値との積を求め、この積を２で除して、これを対象となる濃度範囲で繰り返して総和を求め、この総和を前記面積値で除した値をＹ座標算出部で重心のＹ座標として、前記濃度ヒストグラム図形の重心を算出することを特徴とする請求項１又は２記載の紙又はシート状基材の濃淡画像の定量的評価方法。
【請求項４】
前記評価基準シートは、
任意の人数により官能評価し、前記紙又はシート状基材の濃淡画像の管理値を満たしたことを特徴とする請求項１、２又は３記載の紙又はシート状基材の濃淡画像の定量的評価方法。
【請求項５】
撮像部の光学系により、紙又はシート状基材の濃淡画像を撮影する手段と、
解析評価部の画像取込部で前記撮影した濃淡画像を取り込む手段と、
前記取り込んだ濃淡画像データをメモリー部又は外部記録装置に保存する手段と、
前記撮影した濃淡画像データを画像処理演算部で濃度ヒストグラムに変換する手段と、
前記濃度ヒストグラムの度数分布表を用いて重心座標算出部で重心座標を算出する手段と、
前記算出した重心座標を照合演算部に入力する手段と、
前記求めた重心座標と、照合演算部にあらかじめ記録してある評価基準シートの重心座標とを照合する手段とを備えたことを特徴とする紙又はシート状基材の濃淡画像の定量的評価装置。
【請求項６】
紙又はシート状基材の濃淡画像の濃度ヒストグラムを濃度ヒストグラム図形と認識し、前記認識された濃度ヒストグラム図形の濃度と度数が０である点を原点算出部で原点とする手段と、
前記濃度ヒストグラム図形を形成する各濃度の度数に１を足した値を求め、これを濃度範囲で繰り返して総和を求めて面積値算出部で面積値として算出する手段と、
各濃度の度数に１を足した値とその濃度値との積を求め、これを前記濃度範囲で繰り返して総和を求めて、この総和を前記面積値で除した値をＸ座標算出部で重心のＸ座標とする手段と、
前記濃度範囲の各濃度の度数と該度数に１を足した数との積を求め、この積を２で除して、これを対象となる濃度範囲で繰り返して総和を求めて、この総和を前記面積値で除した値をＹ座標算出部で重心のＹ座標とする手段とによって、前記濃度ヒストグラム図形の重心を算出する機能を実現することを特徴とする紙又はシート状基材の濃淡画像の評価プログラム。
【発明の詳細な説明】
【技術分野】
【０００１】
本発明は、紙又はシート状基材の濃淡画像を定量的に評価する方法、装置及びその評価を行うための評価プログラムに関する。
【背景技術】
【０００２】
従来、紙又はシート状基材の濃淡画像を評価する場合は、一般的に官能評価によって行われている。
【０００３】
前記官能評価を行う方法としては、評価者の主観によって評価する方法と、評価者が限度見本や評価見本となる基準濃淡画像と比較して評価する方法とがあるが、明確な数値による評価ではないので、定量的な評価結果が得られないという問題があった。
【０００４】
前記した官能評価を行う方法では、正しい評価結果を得るためには、評価者にある程度の熟練が必要となり、ある一定の評価熟練度に至るまでには時間がかかるという問題があった。
【０００５】
また、大量の紙又はシート状基材の濃淡画像を評価する場合には、評価者による官能評価では時間がかかるという問題があった。
【０００６】
そこで、これらの問題を解決するために、紙又はシート状基材上の画像等を定量的に評価する方法が提案されている(例えば、非特許文献１参照。)。これは、β線-ラジオグラフィーと呼ばれ、具体的にはシート状に加工されたβ線源の上に評価対象シートを密着させ、さらにその上にβ線で感光するフィルムを重ねて数時間β線を評価対象シートを介在させてフィルムに照射する方法である。
【０００７】
しかしながら、前記手法では評価対象シートの厚さ方向の物質量に反比例したβ線が感光フィルムに照射され、現像後の画像は評価対象シートの二次元的物質量のプロファイルを評価しているものであり、定量的な評価は可能でも目視による官能評価とは一致しないという問題がある。
【０００８】
また、画像の特性を見るために、一般に統計で用いられている度数分布表の変量を横軸にとり、各階級の幅を底とし、それに対応する度数を高さとする長方形を作って分布の状態を示したものを変量のヒストグラムといい、各長方形の上底の中点を順に結んで描かれた折れ線グラフの度数分布折れ線グラフを用いた、濃度を変量とした画像の濃度ヒストグラムがよく使われている。
【０００９】
【非特許文献１】画像電子学会誌、３１[２]、p.２５３-２６０（２００２）
【発明の開示】
【発明が解決しようとする課題】
【００１０】
本発明は、一般的に官能評価では、定量的な評価結果が得られ難いという問題と、評価者にある程度の熟練が求められると同時に一定の評価熟練度に至るまでには時間がかかるという問題と、大量の紙又はシート状基材を評価するには時間がかかるという問題があり、これらの問題を解決するために、前記紙又はシート状基材の濃淡画像に対する画素濃度から濃度ヒストグラムを作成し、前記作成された濃度ヒストグラムを図形と認識し、前記図形と認識した濃度ヒストグラムの図形の重心座標を求め、前記求めた重心座標を官能評価結果に取り入れることによって、官能評価と相関がある紙又はシート状基材の濃淡画像の定量的評価方法を提供することを目的とする。
【００１１】
また、本発明の他の目的は、上記紙又はシート状基材の濃淡画像の定量的評価方法を実現するための紙又はシート状基材の濃淡画像の定量的評価装置及び評価プログラムを提供することにある。
【課題を解決するための手段】
【００１２】
本発明の紙又はシート状基材の濃淡画像の定量的評価方法は、コンピュータによる紙又はシート状基材の濃淡画像を定量的に評価する方法であって、前記紙又はシート状基材の濃淡画像を撮像部により撮影し、前記撮影した濃淡画像に対する画素濃度を前記コンピュータに入力し、前記画素濃度から濃度ヒストグラムを作成し、前記作成された濃度ヒストグラムを図形と認識し、前記図形と認識した濃度ヒストグラムの図形の重心座標を求め、前記求めた重心座標と、あらかじめ記録された一組の評価基準シートによる濃淡画像の濃度ヒストグラム図形の重心座標とを照合し、前記紙又はシート状基材に形成した濃淡画像の定量的評価を行うことを特徴とする。
【００１３】
前記濃度ヒストグラムが、前記濃度ヒストグラムの評価対象濃度範囲を選択した限定された評価対象濃度範囲の濃度ヒストグラムであることを特徴とする紙又はシート状基材の濃淡画像の定量的評価方法である。
【００１４】
前記濃度ヒストグラム図形の重心座標の算出方法は、前記濃度ヒストグラムの濃度と度数が０である点を原点算出部で原点とし、前記濃度ヒストグラム図形を形成する各濃度の度数に１を足した値を求め、これを濃度範囲で繰り返して総和を求めて面積値算出部で面積値とし、各濃度の度数に１を足した値とその濃度値との積を求め、これを前記濃度範囲で繰り返して総和を求め、この総和を前記面積値で除した値をＸ座標算出部で重心のＸ座標とし、前記濃度範囲の各濃度の度数と該度数に１を足した値との積を求め、この積を２で除して、これを対象となる濃度範囲で繰り返して総和を求め、この総和を前記面積値で除した値をＹ座標算出部で重心のＹ座標として、前記濃度ヒストグラム図形の重心を算出することを特徴とする紙又はシート状基材の濃淡画像の定量的評価方法である。
【００１５】
前記評価基準シートは、任意の人数により官能評価し、前記紙又はシート状基材の濃淡画像の管理値を満たしたことを特徴とする紙又はシート状基材の濃淡画像の定量的評価方法である。
【００１６】
本発明の紙又はシート状基材の濃淡画像の定量的評価装置は、撮像部の光学系により、紙又はシート状基材の濃淡画像を撮影する手段と、解析評価部の画像取込部で前記撮影した濃淡画像を取り込む手段と、前記取り込んだ濃淡画像データをメモリー部又は外部記録装置に保存する手段と、前記撮影した濃淡画像データを画像処理演算部で濃度ヒストグラムに変換する手段と、前記濃度ヒストグラムの度数分布表を用いて重心座標算出部で重心座標を算出する手段と、前記算出した重心座標を照合演算部に入力する手段と、前記求めた重心座標と、照合演算部にあらかじめ記録してある評価基準シートの重心座標とを照合する手段とを備えたことを特徴とする。
【００１７】
本発明の紙又はシート状基材の濃淡画像の評価プログラムは、紙又はシート状基材の濃淡画像の濃度ヒストグラムを濃度ヒストグラム図形と認識し、前記認識された濃度ヒストグラム図形の濃度と度数が０である点を原点算出部で原点とする手段と、前記濃度ヒストグラム図形を形成する各濃度の度数に１を足した値を求め、これを濃度範囲で繰り返して総和を求めて面積値算出部で面積値として算出する手段と、各濃度の度数に１を足した値とその濃度値との積を求め、これを前記濃度範囲で繰り返して総和を求めて、この総和を前記面積値で除した値をＸ座標算出部で重心のＸ座標とする手段と、前記濃度範囲の各濃度の度数と該度数に１を足した数との積を求め、この積を２で除して、これを対象となる濃度範囲で繰り返して総和を求めて、この総和を前記面積値で除した値をＹ座標算出部で重心のＹ座標とする手段とによって、前記濃度ヒストグラム図形の重心を算出する機能を実現することを特徴とする。
【発明の効果】
【００１８】
以上詳述したように、本発明は、濃淡画像の濃度ヒストグラムが描く曲線の領域が表示する図形の重心の特徴に着目して重心座標を算出することにより、紙又はシート状基材に施された濃淡画像の品質の評価をするようにしたから、官能評価結果が異なる紙又はシート状基材の濃淡画像の違いにより濃度ヒストグラムとその濃度ヒストグラムの重心座標が異なっているのが分かるので、紙又はシート状基材に形成した濃淡画像の定量的評価が可能となる。
【発明を実施するための最良の形態】
【００１９】
本発明において、定量的評価方法とは、一般的に言われている質的な側面に注目して評価する定量的評価方法、つまり、紙又はシート状基材の濃淡画像の質的な側面に注目して評価した評価者による官能評価に対して、一般的に言われている量的な側面に注目して評価する評価方法のことを言い、本実施例のように、紙又はシート状基材の濃淡画像を撮影し、撮影した画像データを濃度ヒストグラムに変換し、その濃度ヒストグラムの重心位置を算出して官能評価結果を算出することをいう。
【００２０】
次に、本発明の実施の形態について図面を用いて説明する。
紙又はシート状基材の濃淡画像の定量的評価方法は、紙又はシート状基材の濃淡画像を撮影し、前記撮影した濃淡画像データを濃度ヒストグラムに変換し、該濃度ヒストグラムの重心座標を算出して照合するもので、図１に示すように、官能評価結果が異なる紙又はシート状基材の濃淡画像の違いにより濃度ヒストグラムとその濃度ヒストグラムの重心が異なっているのがわかる。
【００２１】
図に示すように、官能評価結果が上位の、紙又はシート状基材の濃度ヒストグラム１は高濃度側の度数が多くなり、その結果、重心４は高濃度側かつ低度数側に位置する。一方、官能評価結果が中位から下位の、紙又はシート状基材の濃度ヒストグラム２、３は、高濃度側の度数が徐々に少なくなり、その結果、それらの重心５、６は低濃度側かつ高度数側に位置する。これらのことから、重心により官能評価結果が上位から下位までの紙又はシート状基材の濃淡画像を評価することができる。
【００２２】
評価者による紙又はシート状基材の濃淡画像の官能評価は、紙又はシート状基材に施された画像の画質の鮮明度、解像度、コントラスト、階調表現などを主観的に評価しており、これらの主観的評価を、紙又はシート状基材の濃淡画像のもつ物理特性を重心座標に置き換えることにより客観的に評価したものが本発明であり、官能評価結果が上位とは、濃淡画像の鮮明さ等が良好なものであり、官能評価結果が中位から下位にいくに従って、濃淡画像の鮮明さ等が欠けてくるというように、紙又はシート状基材の濃淡画像の濃度ヒストグラムが描く曲線内の領域から重心位置を求めて評価することができる。
【００２３】
前記重心座標の算出方法について述べる。図２に示すようなｘｙ直交座標平面上の図形Ｄを用いて、該図形Ｄの重心を算出する。前記図形Ｄ内の直交座標を（xi,yi）とすると重心座標（ｇx,ｇy）は、一般に数１で算出できる。
【００２４】
【数１】
2006017591.tif 000003
但し、Ａは前記平面図形Ｄの面積である。
本発明では、濃度ヒストグラム図形の重心座標を算出しており、ｘ軸となる濃度、ｙ軸となる度数はそれぞれ０以上の整数である。従って、前記数１のΣxiは、濃度ヒストグラム図形の各濃度の度数に１を足した値とその濃度値との積を求め、これを濃度ヒストグラム図形の濃度範囲で繰り返した総和となる。同様に前記数１のΣyiは、前記濃度範囲の各濃度の度数と該度数に１を足した数との積を求め、この積を２で除して、これを前記濃度範囲で繰り返した総和となる。また、前記数１のＡは、前記濃度ヒストグラム図形内の直交座標の個数であり、具体的には前記濃度ヒストグラム図形の各濃度の度数に１を足した値を求め、これを前記濃度範囲で繰り返した総和となる。本実施例で濃度ヒストグラムを図形として認識させているのは、濃度ヒストグラムは、濃度という変量に対する度数がどのくらいあるかを現すものであるので、ヒストグラムが描く曲線内の領域を図形と認識させて、その図形の重心を算出する。
【００２５】
本発明の評価方法は、あらかじめ行った官能評価の結果から評価基準を満たした評価基準シートの濃淡画像の濃度ヒストグラムの重心座標を予め算出し、評価対象シートの濃淡画像の濃度ヒストグラムの重心座標と比較することで濃淡画像を評価しているので、官能評価と相関がある評価方法であり、且つ前記重心座標で評価することから定量的評価方法である。
【００２６】
前記あらかじめ行う官能評価は、一例として一対比較法のシュッフェの方法といわれる方法を用いて、任意の人数により目視により評価を行う。前記一対比較法の評価結果から平均嗜好度の推定値を求め、各紙又はシート状基材の濃淡画像を数値評価するものである。
【００２７】
図３は、紙又はシート状基材の濃淡画像を評価する評価装置の一実施例のブロック図を表したものである。この実施例は、濃淡画像を取り込み、濃度ヒストグラムに変換し、度数分布を用いて重心座標を算出し、あらかじめ算出して記録させてある評価基準シートの重心座標と評価対象シートの重心座標とを照合して評価するものである。
【００２８】
撮像部７は濃淡画像を撮影するものであり、紙又はシート状基材を置く試料台（図示略）と、試料台に置かれた紙又はシート状基材を照明する光源８と、照らされた紙又はシート状基材の濃淡画像を撮像するＣＣＤカメラ９を備えている。撮影する濃淡画像は、透過光又は反射光のどちらでもよい。
【００２９】
画像取込部１０は撮像部７から濃淡画像データを取り込むものである。メモリー部１１は画像取込部１０が取り込んだ濃淡画像データを記録、保存するものである。この濃淡画像データは、ＭＯディスク、フレキシブルディスク、等の外部記録装置１２に保存しておいても良い。
【００３０】
画像処理演算部１３はメモリー部１１に記録、保存された濃淡画像データをアプリケーションソフトを利用して濃度ヒストグラムに変換するものである。
【００３１】
重心座標算出部１４は前記濃度ヒストグラムの度数分布表を用いて重心座標を算出し、前記算出した重心座標は、照合演算部１５に入力して記録する。
【００３２】
照合演算部１５は、あらかじめ入力して記録させてある前述した重心座標の算出方法によって求めた評価基準シートの重心座標と評価対象シートの重心座標とを照合して評価するものであり、以上のようにして求めた濃度ヒストグラムの重心座標等をプリンタやディスプレーなどの出力部１６で出力する。
【００３３】
解析評価部１７は画像取込部１０、メモリー部１１、外部記録装置１２、画像処理演算部１３、重心座標算出部１４、照合演算部１５、出力部１６をコンピュータ及びそのコンピュータで制御される装置全体を表わしている。
【実施例】
【００３４】
以下、本発明の一実施例について図面を参照して説明する。紙又はシート状基材の濃淡画像としては、一実施例として用紙の透過光濃淡画像を評価する場合を説明する。
【００３５】
透過光濃淡画像が異なる評価基準シート（Ａ）〜（Ｔ）の２０枚を用いて、該用紙の濃淡画像の官能評価を、２１名の評価者により一対比較法のシェッフェの方法の中屋の変法で行った。前記官能評価の評価結果から平均嗜好度の推定値を求めることで、前記評価基準シートの濃淡画像の数値評価が可能となる。図４は、前記評価基準シートの濃淡画像を数値により序列化した状態を示した図である。
【００３６】
次に、前記評価基準シート（Ａ）〜（Ｔ）２０枚の透過光濃淡画像を取り込み、該透過光濃淡画像を濃度ヒストグラムに変換し、該濃度ヒストグラムの度数分布を用いて重心座標を算出し、該重心座標を評価基準シートの前記濃度ヒストグラムの重心座標として照合演算部に記録、保存する。
【００３７】
次に、評価対象シートの透過光濃淡画像を取り込み、該透過光濃淡画像を濃度ヒストグラムに変換し、該濃度ヒストグラムの度数分布から重心座標を算出し、該重心座標を評価対象シートの前記濃度ヒストグラムの重心座標として照合演算部に入力する。
【００３８】
図５は、評価基準シートと評価対象シートの濃度ヒストグラムの重心座標を照合し、前記評価対象シートの濃淡画像を評価するフロー図である。
先ず、前記照合演算部に予め記録、保存されている評価基準シートの重心座標と、前記入力された評価対象シートの重心座標とを照合し、該重心座標が前記評価基準シートの重心座標範囲から外れた場合は、前記評価対象シートは欠陥品とし評価するものである。
【００３９】
以上詳述したように、前記官能評価を用いて前記評価基準シートを決定し、該シートの濃度ヒストグラムの重心座標を用いて数値化し、評価対象シートの濃淡画像を前記評価基準シートの前記重心座標範囲から判定するため、官能評価と相関がある定量的な評価方法である。
【００４０】
本実施例は、コンピュータに所定の機能を実現させるための評価プログラムを記録したコンピュータ読み取り可能な記憶媒体として実施することもできる。
【００４１】
図６は、濃度ヒストグラムの重心座標を算出するフロー図であり、図７はその原理図である。これらの図を用いて、本発明の紙又はシート状基材の濃淡画像の濃度ヒストグラムの重心座標の算出方法の一例を示す。
【００４２】
図６は、濃度ヒストグラムの濃度と度数が０である点を原点と決定する原点算出部と、前記濃度ヒストグラムを形成する各濃度の度数に１を足した値を求め、これを濃度範囲で繰り返して総和を求めて面積値と決定する面積値算出部と、各濃度の度数に１を足した値とその濃度値との積を求め、これを対象となる前記濃度範囲で繰り返して総和を求め、前記面積値で除したものが重心のＸ座標と決定するＸ座標算出部と、各濃度の度数と該度数に１を足した数との積を求めこれを２で除して、これを対象となる前記濃度範囲で繰り返して総和を求め、前記面積値で除したものが重心のＹ座標と決定するＹ座標算出部とから構成した重心座標を算出するフロー図である。
【００４３】
次に、重心座標の算出原理について図７を用いて説明する。図７（ａ）は濃度ヒストグラムの一例であり、横軸は濃度を、縦軸は度数を示す。横軸の濃度１〜４の各濃度に対して度数が２である濃度ヒストグラムである。図７（ｂ）は、前記濃度ヒストグラム内に存在する直交座標を表したものである。図７（ｃ）は、前記座標値から前記濃度ヒストグラムの重心座標の求め方を示したものである。
【００４４】
図８は、本実施例の評価プログラムにおける図７（a）の濃度ヒストグラムの重心座標の計算方法であり、具体的に説明する。横軸の濃度と縦軸の度数の０点が原点となる。面積値は、本実施例の場合は、濃度１から濃度４まで各濃度の度数に１を足した値（濃度１＝２＋１＝３、濃度２＝２＋１＝３、濃度３＝２＋１＝３、濃度４＝２＋１＝３）を求めて総和を算出すると１２となり、この１２が面積値となる。
【００４５】
重心座標のＸ座標の算出は、各濃度の縦軸の度数に１を足した値とその横軸の各濃度値の積（濃度１＝（２＋１）×１＝３、濃度２＝（２＋１）×２＝６、濃度３＝（２＋１）×３＝９、濃度４＝（２＋１）×４＝１２）を求め、前記求めた積の総和を算出すると３０となり、求めた総和３０に対して前記面積値１２で割った値が、即ち重心のＸ座標（２．５）である。
【００４６】
重心座標のＹ座標の算出は、横軸の各濃度に対する縦軸の各度数と該各度数に１を足した数との積に２で割った値（濃度１＝２×（２＋１）÷２＝３、濃度２＝２×（２＋１）÷２＝３、濃度３＝２×（２＋１）÷２＝３、濃度４＝２×（２＋１）÷２＝３）を求め、前記求めた数値の総和１２に対して前記面積値１２で割った値が、即ち重心のＹ座標(１)である。よって、本実施例の濃度ヒストグラムの重心座標は（２．５，１）である。
【図面の簡単な説明】
【００４７】
【図１】官能評価結果が異なる紙又はシート状基材の濃淡画像から各濃度ヒストグラムを算出し、前記各濃度ヒストグラムの重心を示した図である。
【図２】ｘｙ直交座標平面上の図形の重心を示した図である。
【図３】紙又はシート状基材の濃淡画像を評価するための評価装置のブロック構成図である。
【図４】濃淡画像を数値により序列化した図である。
【図５】評価基準シートと評価対象シートとを照合し、評価対象シートの濃淡画像を評価するフロー図である。
【図６】重心座標を算出するフロー図である。
【図７】重心座標を算出する原理図である。
【図８】評価プログラムにおける重心座標の計算方法である。
【符号の説明】
【００４８】
１    官能評価結果が上位の紙又はシート状基材の濃度ヒストグラム
２    官能評価結果が中位の紙又はシート状基材の濃度ヒストグラム
３    官能評価結果が下位の紙又はシート状基材の濃度ヒストグラム
４    官能評価結果が上位の紙又はシート状基材の濃度ヒストグラムの重心
５    官能評価結果が中位の紙又はシート状基材の濃度ヒストグラムの重心
６    官能評価結果が下位の紙又はシート状基材の濃度ヒストグラムの重心
７    撮像部
８    光源
９    ＣＣＤカメラ
１０    画像取込部
１１    メモリー部
１２    外部記録装置
１３    画像処理演算部
１４    重心座標算出部
１５    照合演算部
１６    出力部
１７    解析評価部
【図１】
2006017591.tif 000004
【図２】
2006017591.tif 000005
【図３】
2006017591.tif 000006
【図４】
2006017591.tif 000007
【図５】
2006017591.tif 000008
【図６】
2006017591.tif 000009
【図７】
2006017591.tif 000010
【図８】
2006017591.tif 000011